(57)【要約】【課題】      クリック音の音色やスプ−ル回転抵抗力等の調節が行える魚釣用リ−ルを提供することである。【解決手段】  スプ−ル４の一側部４ａには凹部４ｂが形成されて凹部４ｂ内に鳴き板５が嵌め込まれ、鳴き板５の上にはガイド板が重合されてガイド板はスプ−ル４の一側部４ａのネジ穴４ｃに螺合されたビスで固定されている。  鳴き板５は各種の部材５ａ、５ｂ、５ｃ、５ｄ、５ｅ、５ｆ、５ｇ、５ｈで構成されて適宜選択して周方向に取り付けられるように扇形の単片状に分割形成されている。  扇形の単片からなる部材は材質で硬質や中質や軟質が、形状で高さの高、中、低が設けられている。【選択図】        図２
2006211903.tif 000002
【特許請求の範囲】
【請求項１】
リ−ル本体に回転自在に支持されたスプ−ルの側部に鳴き板と周方向に複数の透穴を形成したガイド板とを重合配置し、リ−ル本体に設けた発音用の係合ピンの先端部を前記透穴を介して鳴き板に衝突させて発音する発音機構を備えた魚釣用リ−ルにおいて、前記スプ−ルの側部に取り付けられる鳴き板が、材質又は形状の異なる複数の部材を分割して周方向に組み合わせて構成されていることを特徴とする魚釣用リ−ル。
【発明の詳細な説明】
【技術分野】
【０００１】
本発明は、スプ−ルの回転状態を発音報知するクリック機構を装備した魚釣用リ−ルの改良に関する。
【背景技術】
【０００２】
従来、魚釣用リ−ルの釣り糸が巻回されるスプ−ルの側部に固着した環状の鳴き板と周方向に複数の透穴を設けたガイド板を重合し、リ−ル本体の側板にスプ−ル側にバネ付勢支持されたピンの先端部を、ガイド板の透穴を介して鳴き板に衝突すべく臨ませ、スプ−ルが回転することにより発音すべく構成したものが、特許文献１で知られている。
【特許文献１】実公昭６１−１９６６０号公報
【発明の開示】
【発明が解決しようとする課題】
【０００３】
解決しようとする問題点は、釣り糸の繰り出しで回転するスプ−ルの側部に固着した環状の鳴き板に対するリ−ル側板に設けたピンの衝接時の叩き音で発音する構成のため、クリック音の音響種類（高低の音色）は、鳴き板の材質や厚み等で選択されるごく限られたものになり、釣法や釣人の好み等に順応した調整が出来ず、発音報知に際し、幅広い対応が行えない、等の課題が残されている。
【０００４】
本発明の目的は前記欠点に鑑み、クリック音の音色やスプ−ル回転抵抗力等の調節が行える魚釣用リ−ルを提供することである。
【課題を解決するための手段】
【０００５】
本発明は、リ−ル本体に回転自在に支持されたスプ−ルの側部に鳴き板と周方向に複数の透穴を形成したガイド板とを重合配置し、リ−ル本体に設けた発音用の係合ピンの先端部を前記透穴を介して鳴き板に衝突させて発音する発音機構を備えた魚釣用リ−ルにおいて、前記スプ−ルの側部に取り付けられる鳴き板が、材質又は形状の異なる複数の部材を分割して周方向に組み合わせて構成されていることを要旨とするものである。
【発明の効果】
【０００６】
本発明により、複数の各扇形の単片からなる部材の鳴き板がスプ−ルの一側部に周方向に組み合わせてクリック発音機構を構成したので、釣法や釣人の好み等に応じてクリック音の音色やスプ−ル回転抵抗力等の調節が行え、幅広い対応が可能となる。
又、使用経過に伴う摩耗に際しても、交換が容易となる。
【発明を実施するための最良の形態】
【０００７】
スプ−ル４の一側部４ａには凹部４ｂが形成されて凹部４ｂ内に鳴き板５が嵌め込まれ、鳴き板５の上にはガイド板６が重合されてガイド板６はスプ−ル４の一側部４ａのネジ穴４ｃに螺合されたビス１５で固定されている。
鳴き板５は扇形の単片からなる例えば、材質や形状の異なる部材５ａ、５ｂ、５ｃ、５ｄ、５ｅ、５ｆ、５ｇ、５ｈ等で構成され、リ−ルの設計仕様や釣法等を考慮して、状況に合った扇形の鳴き板を選択して取り付けられる。
一方のリ−ル側板３には円筒スリ−ブ１６が固定されて円筒スリ−ブ１６内に進退自在に設けられた発音用の係合ピン７の先端部が発条１７でスプ−ル４方向に付勢されて図１、図３、図４では係合ピン７の先端部がガイド板６の透穴６ａを挿通されて鳴き板５に衝接されている。
【０００８】
鳴き板５の種類を以下に例示する。
扇形の単片からなる部材５ａ、５ｅは例えばステンレス材などの硬質金属材が用いられている。
扇形の単片からなる部材５ｂは例えば真鍮材や銅材などの軟質金属材が用いられている。
扇形の単片からなる部材５ｃ、５ｇは高さ（厚み）の高低で高く（厚く）形成されている。
扇形の単片からなる部材５ｄは高さの高低で低く（薄く）形成されている。
扇形の単片からなる部材５ｆには穴５ｉが形成されて係合ピン７の先端部がガイド板６の透穴６ａに挿通される量が深くなり、かつ無音になるように構成されている。
扇形の単片からなる部材５ｈには凸部５ｊが形成されて図４のように、係合ピン７の先端部がガイド板６の透穴６ａに挿通される量が制限されるように構成されている。
【実施例１】
【０００９】
以下、図示の実施例によって本発明を説明すると、図１は魚釣用リ−ルの要部断面背面図、図２はスプ−ルの一側部の鳴き板の側面図、図３は図２のＦ３−Ｆ３断面線の要部拡大断面背面図、図４は図２のＦ４−Ｆ４断面線の要部拡大断面背面図である。
【００１０】
魚釣用リ−ルを魚釣用両軸受型リ−ルで述べると、リ−ル本体１は両リ−ル側板２、３が複数の支柱１０で並行に保持され、両側板間にスプ−ル４がスプ−ル軸１１に固定されている。
スプ−ル軸１１はピニオン１２とドライブギヤ１３を介してハンドル１４で回転されるように構成されている。
スプ−ル４の一側部４ａには凹部４ｂが形成されて凹部４ｂ内に鳴き板５が嵌め込まれて固定（圧入、接着、ネジ止め等も可能）、鳴き板５の上にはガイド板６が重合されてガイド板６はスプ−ル４の一側部４ａのネジ穴４ｃに螺合されたビス１５で固定されている。
例えば、鳴き板５は扇形の単片からなる材質、形状の異なる部材５ａ、５ｂ、５ｃ、５ｄ、５ｅ、５ｆ、５ｇ、５ｈ等で構成され、図２に示されるスプ−ル４の一側部４ａには、各種の扇形の鳴き板５（５ａ〜５ｈ）を図示してあるが、１種類でも、２種類でも組み合せは自由で、状況により適宜選択されて取り付けられる。
ガイド板６の透穴６ａは周方向に少なくとも鳴き板５の扇形の単片からなる部材の数に応じて穿設されている。
凹部４ｂの中の鳴き板５の各扇形の単片からなる部材位置に凹部４ｄが形成されている。
扇形の単片からなる部材の数及びガイド板６の透穴の数は適宜選定される。
【００１１】
鳴き板５は、扇形の単片からなる部材５ａ、５ｂ、５ｃ、５ｄ、５ｅ、５ｆ、５ｇ、５ｈの中から適宜選択（１種類でも複数でも組み合せは自由）されて周方向に間隙αをおくように組み合わされ、凹部４ｂとガイド板６の間で厚さによって挾持固定されている。
厚さの薄い扇形の単片からなる部材は接着剤で接着固定してもよい。
凹部４ｄは空きの状態としてもよいし、接着剤の溜め部としてもよい。
凹部４ｄが空きの状態か接着剤充填状態で発音の音色が異なる。
【００１２】
一方のリ−ル側板３には円筒スリ−ブ１６が固定されて円筒スリ−ブ１６内に進退自在に設けられた発音用の係合ピン７の先端部が発条１７でスプ−ル４方向に付勢されて図１、図３、図４では係合ピン７の先端部がガイド板６の透穴６ａを挿通されて鳴き板５に衝接されている。
発音用の係合ピン７は細杆１８の一端に固定され、細杆１８の他端に進退操作ツマミ１９がビス２０で取り付けられている。
【００１３】
扇形の単片からなる部材５ａ、５ｅは例えばステンレス材などの硬質金属材が用いられている。
扇形の単片からなる部材５ｂは例えば真鍮材や銅材などの軟質金属材が用いられている。
扇形の単片からなる部材５ｃ、５ｇは高さ（厚み）の高低で高く（厚く）形成されている。
扇形の単片からなる部材５ｄは高さの高低で低く（薄く）形成されている。
扇形の単片からなる部材５ｆには穴５ｉが形成されて係合ピン７の先端部がガイド板６の透穴６ａに挿通される量が深くなり、かつ無音になるように構成されている。
扇形の単片からなる部材５ｈには凸部５ｊが形成されて図４のように、係合ピン７の先端部がガイド板６の透穴６ａに挿通される量が制限されるように構成されている。
【００１４】
各扇形の単片からなる部材の材質や形状が異なると係合ピン７の先端部が衝突されたときに発生する発音の音色が異なることになる。
更に扇形の単片からなる部材の高さが異なると係合ピン７の先端部がガイド板６の透穴６ａに出入りする時の抵抗力（スプ−ル４の回転抵抗力）が異なることになる。
上記説明では材質を硬質と軟質で示したが、硬軟の間の中質があってもよい。
また、形状の高低も高低の中間があってもよい。
材質や形状の異なる各扇形の単片からなる部材の配置は適宜選択して配置することが出来る。
【００１５】
ハンドル１４の回転やスプ−ル４に巻回された図示しない釣り糸の繰り出しでスプ−ル４が回転されると、発音用の係合ピン７の先端部が発条１７で付勢されてガイド板６の透穴６ａに出入りして鳴き板５の各扇形の単片からなる部材に衝突されてクリック音が発音される。
更に扇形の単片からなる部材の穴５ｉや凸部５ｊで発音用の係合ピン７の先端部が落し込まれる量が異なることで発音の音色とスプ−ル４の回転抵抗力が異なることになる。
【００１６】
前記のように魚釣用リ−ルが構成されると、複数の各扇形の単片からなる部材の鳴き板５がスプ−ル４の一側部４ａに周方向に組み合わせてクリック発音機構を構成したので、釣法や釣人の好み等に応じてクリック音の音色やスプ−ル回転抵抗力等の調節が行え、幅広い対応が可能となる。
又、使用経過に伴う摩耗に際しても、交換が容易となる。
【産業上の利用可能性】
【００１７】
前記説明では、魚釣用リ−ルで述べたが、他の形式の魚釣用片軸受型リ−ルに実施してもよい。
【図面の簡単な説明】
【００１８】
【図１】魚釣用リ−ルの要部断面背面図である。
【図２】スプ−ルの一側部の鳴き板の側面図である。
【図３】図２のＦ３−Ｆ３断面線の要部拡大断面背面図である。
【図４】図２のＦ４−Ｆ４断面線の要部拡大断面背面図である。
【符号の説明】
【００１９】
１  リ−ル本体
４  スプ−ル
４ａ  一側部
５  鳴き板
５ａ、５ｂ、５ｃ、５ｄ、５ｅ、５ｆ、５ｇ、５ｈ  扇形の単片からなる部材
６  ガイド板
６ａ  透穴
７  発音用の係合ピン
【図１】
2006211903.tif 000003
【図２】
2006211903.tif 000004
【図３】
2006211903.tif 000005
【図４】
2006211903.tif 000006